(57)【要約】【課題】スポーツウォッチの少なくとも一部の機能と装飾性とを両立させ、より多くのシーンで利用することのできる携帯型電子時計を提供することを目的とする。【解決手段】本発明に係る携帯型電子時計は、時刻又は時間を表示する少なくとも１つの指針を用いて、ユーザーの位置から目標地点までの距離を表示する処理部を含む。【選択図】図１
2017032473.tif 000002
【特許請求の範囲】
【請求項１】
時刻又は時間を表示する少なくとも１つの指針と、
ユーザーの位置から目標地点までの距離を表示するように、前記指針を制御する処理部と、を含む、
携帯型電子時計。
【請求項２】
前記処理部は、
前記携帯型電子時計に対して所定方向に存在する１又は複数の前記目標地点までの距離を表示する、
請求項１に記載の携帯型電子時計。
【請求項３】
前記所定方向は、
前記電子時計のベゼルの回転位置によって特定される、
請求項２に記載の携帯型電子時計。
【請求項４】
前記目標地点には、
ゴルフコースにおけるグリーンの位置、グリーンのエッジ、フェアウェイのエッジ、障害物の位置、障害物のエッジ、ＯＢのエッジ、カップの位置、のうち少なくとも１つが含まれる、
請求項１〜３の何れか一項に記載の携帯型電子時計。
【請求項５】
前記処理部は、
前記目標地点の種類を設定することが可能である、
請求項１〜４の何れか一項に記載の携帯型電子時計。
【請求項６】
前記処理部は、
前記距離の表示に用いられる前記指針とは異なる指針又はカレンダー窓を用いて、前記目標地点の種類を表示する、
請求項５に記載の携帯型電子時計。
【請求項７】
前記距離の表示に用いられる前記指針のうち少なくとも１つは、現在時刻の表示に用いられる指針である、
請求項１〜６の何れか一項に記載の携帯型電子時計。
【請求項８】
前記距離の表示に用いられる前記指針のうち少なくとも１つは、所定時刻からの経過時間の表示に用いられる指針である、
請求項１〜７の何れか一項に記載の携帯型電子時計。
【請求項９】
前記指針は、第１の指針と第２の指針とを含み、
前記処理部は、
前記第１の指針を用いて前記目標地点までの距離を表示し、かつ、前記第２の指針を用いて、前記目標地点の方向を表示する、
請求項１〜８の何れか一項に記載の携帯型電子時計。
【請求項１０】
前記指針は、第１の指針と第２の指針とを含み、
前記処理部は、
前記第１の指針及び前記第２の指針を用いて、ゴルフコースにおけるフェアウェイの形状を表示する、
請求項１〜８の何れか一項に記載の携帯型電子時計。
【発明の詳細な説明】
【技術分野】
【０００１】
本発明は、携帯型電子時計に関する。
【背景技術】
【０００２】
スポーツ活動の際に使用される携帯型電子機器の中に、ゴルフコースのグリーンエッジまでの距離等をリアルタイムで表示するナビゲーション機器がある（特許文献１を参照）。この携帯型電子機器を腕時計型に構成したもの（以下、「スポーツウォッチ」という。）も既に普及しつつある。
【先行技術文献】
【特許文献】
【０００３】
【特許文献１】特開２００９−１８３５５６号公報
【発明の概要】
【発明が解決しようとする課題】
【０００４】
通常、スポーツウォッチは、数値をデジタル表示するものであるので、デジタル腕時計と同様の外観をしている。このため、アナログ腕時計を愛用しているユーザーや伝統ファッションを好むユーザーは、スポーツウォッチを使うとしても、これを装着するのはスポーツ中のみであって、装飾品として普段使いすることは稀である。
【０００５】
本発明は、以上のような問題点に鑑みてなされたものであり、本発明のいくつかの態様は、スポーツウォッチの少なくとも一部の機能と装飾性とを両立させ、より多くのシーンで利用することのできる携帯型電子時計を提供することを目的とする。
【課題を解決するための手段】
【０００６】
本発明は前述の課題の少なくとも一部を解決するためになされたものであり、以下の態様又は適用例として実現することが可能である。
【０００７】
［適用例１］
本適用例に係る携帯型電子時計は、時刻又は時間を表示する少なくとも１つの指針と、ユーザーの位置から目標地点までの距離を表示するように、前記指針を制御する処理部と、を含む。
【０００８】
処理部は、時刻又は時間を表示する指針を、距離の表示に兼用する。従って、携帯型電子時計は、アナログ時計の雰囲気（つまり装飾性の高さ）を壊さずに、例えばスポーツなどにおける目的地点までの距離の表示を行うことができる。
【０００９】
［適用例２］
本適用例に係る携帯型電子時計において、前記処理部は、前記携帯型電子時計に対して所定方向に存在する１又は複数の前記目標地点までの距離を表示してもよい。
【００１０】
携帯型電子時計に対して所定方向に存在する１又は複数の地点までの距離を、指針を用いて表示させることができる。
【００１１】
［適用例３］
本適用例に係る携帯型電子時計において、前記所定方向は、前記電子時計のベゼルの回転位置によって特定される。
【００１２】
本適用例によれば、ユーザーがベゼルを回転させることによって、所定方向を特定できるので、ユーザーは簡単な操作によって希望する方向における目的地点までの距離を知ることができる。
【００１３】
［適用例４］
本適用例に係る携帯型電子時計において、前記目標地点には、ゴルフコースにおけるグリーンの位置、グリーンのエッジ、フェアウェイのエッジ、障害物（ハザード）の位置、障害物のエッジ、ＯＢのエッジ、カップの位置、のうち少なくとも１つが含まれてもよい。
【００１４】
携帯型電子時計は、ゴルフコースにおけるグリーンの位置、グリーンのエッジ、フェアウェイのエッジ、障害物の位置、障害物のエッジ、ＯＢのエッジ、カップの位置、のうち少なくとも１つまでの距離を、当該指針により表示することができる。従って、本適用例の携帯型電子時計は、ゴルフコースでの利用に好適である。
【００１５】
［適用例５］
本適用例に係る携帯型電子時計において、前記処理部は、前記目標地点の種類を設定することが可能であってもよい。
【００１６】
携帯型電子時計は、処理部によって設定された目標地点までの距離を、指針によって表示することができる。
【００１７】
［適用例６］
本適用例に係る携帯型電子時計において、前記処理部は、前記距離の表示に用いられる前記指針とは異なる指針又はカレンダー窓を用いて、前記目標地点の種類を表示してもよい。
【００１８】
携帯型電子時計は、目標地点の種類の表示に、アナログ時計としての部品を兼用することができる。従って、例えば、目的地点の種類を表示するための部品等を追加しなくても表示ができるので、よりアナログ時計の外観に近い携帯型電子時計を提供できる。
【００１９】
［適用例７］
本適用例に係る携帯型電子時計において、前記距離の表示に用いられる前記指針のうち少なくとも１つは、現在時刻の表示に用いられる指針であってもよい。
【００２０】
一般に、現在時刻の表示に用いられる指針は視認性が良い。従って、時刻表示用の指針（例えば、時針、分針など）を距離の表示に兼用することで、距離の表示の視認性を良好にすることができる。
【００２１】
［適用例８］
本適用例に係る携帯型電子時計において、前記距離の表示に用いられる前記指針のうち少なくとも１つは、所定時刻からの経過時間の表示に用いられる指針であってもよい。
【００２２】
経過時間表示用の指針（例えば、クロノグラフ指針など）を距離の表示に兼用することができる。
【００２３】
［適用例９］
本適用例に係る携帯型電子時計において、前記指針は、第１の指針と第２の指針とを含み、前記処理部は、前記第１の指針を用いて前記目標地点までの距離を表示し、かつ、前記第２の指針を用いて、前記目標地点の方向を表示してもよい。
【００２４】
ユーザーは、２つの指針によって、距離に加えて方向を確認することができる。
【００２５】
［適用例１０］
本適用例に係る携帯型電子時計において、前記指針は、第１の指針と第２の指針とを含み、前記処理部は、前記第１の指針及び前記第２の指針を用いて、ゴルフコースにおけるフェアウェイの形状を表示してもよい。
【００２６】
ユーザーは、２つの指針の関係からフェアウェイのおおよその形状（例えば、ドッグレッグのおおよその形状）を視覚的に確認することができる。
【図面の簡単な説明】
【００２７】
【図１】第１実施形態における携帯型電子時計の概要を説明するための概略外観図である。
【図２】第１実施形態における携帯型電子時計の機械的構成を説明するための概略断面図である。
【図３】第１実施形態における携帯型電子時計の電気的構成を説明するための機能ブロック図である。
【図４】コースレイアウトデータ１５１を説明するための図である。
【図５】ゴルフナビモードにおける処理部の動作を説明するためのフローチャートである。
【図６】カップ表示処理を説明するためのフローチャート及び説明図である。
【図７】フェアウェイエッジ表示処理（ＦＷエッジ表示処理）を説明するためのフローチャート及び説明図である。
【図８】グリーンエッジ表示処理（Ｇエッジ表示処理）を説明するためのフローチャート及び説明図である。
【図９】ハザードエッジ表示処理（Ｈエッジ表示処理）を説明するためのフローチャート及び説明図である。
【図１０】ＯＢエッジ表示処理を説明するためのフローチャート及び説明図である。
【図１１】ドッグレッグ表示処理（ＤＬ表示処理）を説明するためのフローチャート及び説明図である。
【図１２】第２実施形態の概要を説明するための図である。
【図１３】第２実施形態のゴルフナビモードにおける処理部の動作を説明するためのフローチャートである。
【図１４】変形例における携帯型電子時計の概略外観図である（ゴルフナビモードに小窓を利用する例）。
【図１５】別の変形例におけるベゼルを説明するための図である。
【発明を実施するための形態】
【００２８】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００２９】
１．携帯型電子時計の第１実施形態
１−１．携帯型電子時計の概要
図１は、第１実施形態における携帯型電子時計の概要を説明するための図である。
【００３０】
図１に示すとおり、携帯型電子時計１０は、指針を備えたいわゆるアナログ時計であり、スポーツのシーン又は普段使いのシーンでユーザーの身体の一部へ装着される。携帯型電子時計１０の装着先は、例えば、肘から手に至る部位（前腕）であって、図１に示す例では手首を想定している。手首に装着された携帯型電子時計１０は、手首に接触する面（以下、「裏面」という。）とは反対側の面（以下、「表面」という。）に時刻等を表示する。
【００３１】
携帯型電子時計１０は、計時機能の他、ＧＰＳ機能（ＧＰＳ：Global Positioning System）が搭載された、いわゆるＧＰＳウォッチであり、ＧＰＳ衛星からの電波（衛星信号）を受信して内部時刻を修正する。
【００３２】
ＧＰＳ衛星は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。現在、約３１個のＧＰＳ衛星が存在しており、衛星信号がどのＧＰＳ衛星から送信されたかを識別するために、各ＧＰＳ衛星はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００３３】
ＧＰＳ衛星は、原子時計を搭載しており、衛星信号には原子時計で計時された極めて正確なＧＰＳ時刻情報が含まれている。また、地上のコントロールセグメントにより各ＧＰＳ衛星に搭載されている原子時計のわずかな時刻誤差が測定されており、衛星信号にはその時刻誤差を補正するための時刻補正パラメーターも含まれている。
【００３４】
そこで、携帯型電子時計１０は、少なくとも１つのＧＰＳ衛星から送信された衛星信号を受信し、航法メッセージに含まれるＧＰＳ時刻情報と時刻補正パラメーターとを使用して得られた正確な時刻（時刻情報）を、内部時刻として保持する。
【００３５】
航法メッセージには、ＧＰＳ衛星の軌道上の位置を示す軌道情報も含まれている。このため、携帯型電子時計１０は、ＧＰＳ時刻情報と軌道情報とを使用して測位計算を行うことができる。この測位計算は、携帯型電子時計１０の内部時刻にある程度の誤差が含まれていることを前提として行われる。すなわち、測位計算では、携帯型電子時計１０の三次元の位置を特定するためのｘ，ｙ，ｚパラメーターに加えて、時刻誤差も未知数とする。よって、携帯型電子時計１０は、一般的には４つ以上のＧＰＳ衛星から送信された衛星信号を受信し、それらの信号に含まれるＧＰＳ時刻情報と軌道情報とを使用して測位計算を行い、現在地の位置情報を取得する。
【００３６】
本実施形態の携帯型電子時計１０には、上記の位置情報を利用したナビゲーションモードが搭載されている。ナビゲーションモードは、基本的に、目標地点までの距離等を表示するモードである。以下、本実施形態の携帯型電子時計１０には、ナビゲーションモードの一例として、ゴルフナビモードが搭載されていると仮定する。ゴルフナビモードは、ゴルフコースにおける各種のコース要素（カップ、フェアウェイエッジ、グリーンエッジ、ハザードエッジなど）を目標地点として、その目標地点までの距離等を表示するモードである。
【００３７】
１−２．携帯型電子時計の機械的構成
図１は、携帯型電子時計１０を表面側から見た平面図であり、図２は、携帯型電子時計の概略を示す部分断面図である。図１、図２において、同一の要素には同一の符号を付した。また、図１においては、可動の部品を見易くするために、非可動の部品又は要素の一部、例えば、時計の文字板等に印刷された（又は刻印された）数字やアルファベットなどの図示を省略した。
【００３８】
携帯型電子時計１０は、金属製の外装ケース３０と、光透過性のカバーガラス３３と、金属製の裏蓋３４とを備える。外装ケース３０は、例えば、金属製の円筒状のケース３１に、セラミック製の円筒状のベゼル３２を嵌合したものである。外装ケース３０の表面側の開口は、カバーガラス３３で塞がれており、裏面側の開口は、裏蓋３４で塞がれている。外装ケース３０の内側には、カバーガラス３３及び裏蓋３４と平行なプラスチック製の円盤状の文字板１１が固定されている。この文字板１１及びカバーガラス３３は、光透過性を有している。
【００３９】
以下、携帯型電子時計１０を１２時制の時計と仮定し、文字板１１の中央から見た各方向を時数で説明する。
【００４０】
文字板１１の中央には、文字板１１を貫通する指針軸２５と、指針軸２５の周りを回転する指針２１、２２、２３とが設けられている。指針２１、２２、２３は、例えば金属又はプラスチック製である。
【００４１】
文字板１１において、中央から２時の方向にずれた位置には、円形の第１小窓７０が設けられている。第１小窓７０の中央には、第１小窓７０を貫通する指針軸と、指針軸の周りに回転する指針７１とが設けられている。指針７１は、例えば金属又はプラスチック製である。
【００４２】
文字板１１において、中央から１０時の方向にずれた位置には、円形の第２小窓８０が設けられている。第２小窓８０の中央には、第２小窓８０を貫通する指針軸と、指針軸の周りに回転する指針８１とが設けられている。指針８１は、例えば金属又はプラスチック製である。
【００４３】
文字板１１において、中央から６時の方向にずれた位置には、円形の第３小窓９０が設けられている。第３小窓９０の中央には、第３小窓９０を貫通する指針軸と、指針軸の周りに回転する指針９１とが設けられている。指針９１は、例えば金属又はプラスチック製である。
【００４４】
文字板１１において、中央から４時の方向にずれた位置には、矩形のカレンダー小窓１５（カレンダー窓の一例）が設けられている。カレンダー小窓１５は、文字板１１に設けられた矩形状の開口部である。カレンダー小窓１５からは、文字板１１の背後（裏面側）に設けられた日車の一部の文字（図１では「６」という日付け）が露出している。日車が回転すると、カレンダー小窓１５から露出する文字が切り替わる。
【００４５】
以上の文字板１１、指針２１、２２、２３、７１、８１、９１、第１小窓７０、第２小窓８０、第３小窓９０、カレンダー小窓１５などは、カバーガラス３３を透してユーザーから視認可能である。
【００４６】
ここで、基本的に、指針２２は、内部時刻の「分」を示す分針（現在時刻を表示する指針の一例）として用いられ、指針２３は、内部時刻の「時」を示す時針（現在時刻を表示する指針の一例）として用いられ、指針２１は、クロノグラフ機能の「秒」を示すクロノグラフ秒針（経過時間を表示する指針の一例）として用いられる。
【００４７】
また、基本的に、指針７１は、クロノグラフ機能の「分」を示すクロノグラフ分針（経過時間を表示する指針の一例）として用いられ、指針８１は、内部時刻の「秒」を示す小秒針（現在時刻を表示する指針の一例）として用いられ、指針９１は、クロノグラフ機能の「時」を示すクロノグラフ時針（経過時間を表示する指針の一例）として用いられる。
【００４８】
また、基本的に、カレンダー小窓１５の日車は、内部時刻の「年」、「月」、「日」のうち少なくとも１つを表すための部材（例えば円盤状の部材）である。
【００４９】
但し、本実施形態では、携帯型電子時計１０がゴルフナビモードに設定されているとき、分針２２及び時針２３は、目標地点までの距離、方向、その他のデータの表示に用いられ、クロノグラフ秒針２１は、ゴルフナビモードにおける表示モードの種類をユーザーへ通知するために用いられる。
【００５０】
また、本実施形態では、文字板１１の外縁側の各部には、ゴルフナビモードにおける各種の表示モードを表す文字「ＣＵＰ」、「ＦＷＥ」、「ＧＥ」、「ＨＥ」、「ＯＢＥ」、「ＤＬ」が予め付与されている。これらの文字は、例えば文字板１１の表面に対して刻印又は印刷されている。クロノグラフ秒針２１が１回転すると、クロノグラフ秒針２１の先端は、これらの文字（「ＣＵＰ」、「ＦＷＥ」、「ＧＥ」、「ＨＥ」、「ＯＢＥ」、「ＤＬ」）を順次に指し示す。
【００５１】
また、図１に示すように、外装ケース３０の外側面の各位置には、携帯型電子時計１０の操作部として、Ａボタン６１、Ｂボタン６２、Ｃボタン６３、Ｄボタン６４、リューズ５０が設けられている。
【００５２】
このうち、Ａボタン６１の設け先は、文字板１１の中央から見て８時の方向であり、Ｂボタン６２の設け先は、文字板１１の中央から見て１０時の方向であり、Ｃボタン６３の設け先は、文字板１１の中央から見て２時の方向であり、Ｄボタン６４の設け先は、文字板１１の中央から見て４時の方向であり、リューズ５０の設け先は、文字板１１の中央から見て３時の方向である。
【００５３】
ユーザーがＡボタン６１、Ｂボタン６２、Ｃボタン６３、Ｄボタン６４、リューズ５０のうち少なくとも１つを操作すると、その操作の内容に応じた操作信号が携帯型電子時計１０の処理部３００（後述）へ伝達される。よって、ユーザーは、これらのボタンの操作内容（プッシュ、長押し、操作回数など）とリューズの操作内容（回転、引き出し、押し込み、操作回数など）との組み合わせにより、他種の指示を携帯型電子時計１０へ入力することができる。
【００５４】
なお、外装ケース３０の内側において、文字板１１の中央には、クロノグラフ秒針２１、分針２２、時針２３の回転軸である指針軸２５が設けられ、第１小窓７０の中央には、クロノグラフ分針７１の回転軸である指針軸（不図示）が設けられ、第２小窓８０の中央には、小秒針８１の回転軸である指針軸（不図示）が設けられ、第３小窓９０の中央には、クロノグラフ時針９１の回転軸である指針軸（不図示）が設けられる。これらの指針軸の方向は、何れも文字板１１に垂直な方向である。また、外装ケース３０の内側には、これらの指針軸の周りにクロノグラフ秒針２１、分針２２、時針２３、クロノグラフ分針７１、小秒針８１、クロノグラフ時針９１を回転させる（運針する）駆動機構１４０が備えられる。駆動機構１４０は、地板１２５を介して外装ケース３０へ固定されている。
【００５５】
また、図１では図示省略したが、外装ケース３０の内側において、文字板１１の外縁とベゼル３２との間には、プラスチック製のすり鉢状のダイヤルリング４０が配置されており、外装ケース３０の内側においてダイヤルリング４０の傾斜部分とベゼル３２の内周面との間には、ドーナツ形状の収納空間が形成されている。この収納空間内に、リング状のアンテナ体１１０が収納されている。
【００５６】
アンテナ体１１０は、リング形状の誘電体を基材として、これに金属のアンテナパターンをメッキや銀ペースト印刷などにより形成したものである。誘電体としては、酸化チタンなどの高周波で使える誘電材料を樹脂に混ぜて成形することができ、この誘電体により、受信波長の短縮、すなわちアンテナ体１１０の小型化が可能となっている。因みに、アンテナ体１１０の配置先であるドーナツ型の空間は、ベゼル３２、ダイヤルリング４０、カバーガラス３３などで覆われているため、アンテナ体１１０の受信環境は良好に保たれる。
【００５７】
また、文字板１１と地板１２５との間には、光発電を行うソーラーパネル１３５が設けられている。ソーラーパネル１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５、地板１２５の各々には、前述した指針軸（符号２５を付した指針軸２５及び不図示の指針軸）が貫通する開口部と、カレンダー小窓１５としての開口部とが形成されている。
【００５８】
駆動機構１４０は、回路基板１２０によって裏面側から覆われている。駆動機構１４０は、ステップモーターと歯車などの輪列とを有し、当該ステップモーターが当該輪列を介して前述した指針軸を回転させることにより、クロノグラフ秒針２１、分針２２、時針２３、クロノグラフ分針７１、小秒針８１、クロノグラフ時針９１を駆動する。
【００５９】
回路基板１２０には、ＧＰＳセンサー（ＧＰＳ受信機）１２１、処理部３００、記憶部１５０、リチウムイオン電池などの二次電池１３０、電子コンパスの一種である地磁気センサー（図２では不図示）、充電回路（図２では不図示）、通信部（図２では不図示）などの各要素が設けられる。なお、二次電池１３０はソーラーパネル１３５に対して電気的に接続されており、ソーラーパネル１３５が発電した電力により二次電池１３０が充電される。また、回路基板１２０とアンテナ体１１０とは、アンテナ接続ピン１１５を介して電気的に接続されている。
【００６０】
アンテナ体１１０は、給電点を通じて給電され、この給電点には、アンテナ体１１０の裏面側に配置されたアンテナ接続ピン１１５が接続されている。アンテナ接続ピン１１５は金属で形成されたピン状のコネクターであり、回路基板１２０に突設されて、地板１２５に開口された挿通孔を貫通されて収納空間内へ挿通されている。これにより、回路基板１２０と、収納空間内部のアンテナ体１１０とが、アンテナ接続ピン１１５で接続されている。
【００６１】
１−３．携帯型電子時計の電気的構成
図３は、携帯型電子時計１０の電気的構成を説明するための機能ブロック図である。
【００６２】
図３に示すように、携帯型電子時計１０は、ＧＰＳセンサー１２１、地磁気センサー１１１、計時部１５５、操作部１５７、駆動機構１４０、二次電池１３０、処理部３００、記憶部１５０、表示部１４１、充電回路１３６、ソーラーパネル１３５、通信部１９０などを備える。
【００６３】
ＧＰＳセンサー１２１は、アンテナ体１１０に接続され、アンテナ体１１０を介して受信した衛星信号を処理してＧＰＳ時刻情報や位置情報を取得する。アンテナ体１１０は、地球の上空を所定の軌道で周回している複数のＧＰＳ衛星から送信された衛星信号の電波を受信する。ＧＰＳセンサー１２１は、通常のＧＰＳ装置と同様に、ＧＰＳ衛星から送信される衛星信号を受信して適当な周波数のデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得部と、を備えている。
【００６４】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００６５】
ＢＢ部は、ＧＰＳ衛星で送信時に使用されたものと同一のＣ／Ａコードであるレプリカコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００６６】
情報取得部は、ＢＢ部で復調した航法メッセージからＧＰＳ時刻情報や位置情報を取得する。航法メッセージには、プリアンブルデータおよびＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星毎の詳細な軌道情報）や、アルマナック（全ＧＰＳ衛星の概略軌道情報）などのデータが含まれている。したがって、情報取得部は、受信した航法メッセージから所定のデータ部分を抽出することにより、ＧＰＳ時刻情報や航法情報を取得することができる。
【００６７】
また、サブフレーム４および５は、全衛星の軌道情報（アルマナック）や電離層補正情報が含まれ、これらはデータ数が多いためにページ単位に分割されてサブフレームに収容される。すなわち、サブフレーム４および５により送信されるデータは、それぞれページ１〜２５に分割されており、フレームごとに異なるページの内容が順番に送られている。
【００６８】
すべてのページの内容を送信するには２５フレームを必要とするため、航法メッセージの全情報を受信するには１２分３０秒の時間を要する。なお、閏秒情報（閏秒更新情報）は、サブフレーム４のページ１８に格納されており、当該サブフレーム４のページ１８を受信すれば、閏秒情報を取得できる。
【００６９】
地磁気センサー１１１は、地球の磁場の方向を示す地磁気ベクトルを検出するセンサーであって、例えば、互いに直交する３つの軸方向の磁束密度を示す地磁気データを生成する。地磁気センサー１１１には、例えば、ＭＲ（Magnet resistive）素子、ＭＩ（Magnet impedance）素子、ホール素子などが用いられる。
【００７０】
計時部１５５は、二次電池１３０に蓄積された電力で駆動される水晶振動子等を備え、水晶振動子の発振信号に基づく基準信号を用いて時刻データを生成し、処理部３００へ送る。
【００７１】
操作部１５７は、前述したリューズ５０、Ａボタン６１、Ｂボタン６２、Ｃボタン６３、Ｄボタン６４を含む。ユーザーによる操作部１５７の操作内容は、処理部３００を介して（場合によっては処理部３００を介さずに）駆動機構１４０へと伝達される。
【００７２】
駆動機構１４０は、前述したとおりステップモーターと歯車などの輪列とを有し、当該ステップモーターが当該輪列を介して指針軸２５を回転させると、表示部１４１を構成する部材（クロノグラフ秒針２１、分針２２、時針２３、クロノグラフ分針７１、小秒針８１、クロノグラフ時針９１、カレンダー小窓１５の日車など）のうち少なくとも１つが駆動される。
【００７３】
二次電池１３０は、充電可能な電池である。二次電池１３０には、充電回路１３６を介してソーラーパネル１３５から電力が供給される。
【００７４】
記憶部１５０は、例えば１又は複数のＩＣメモリーなどにより構成され、処理部３００の作業領域となるＲＡＭ（Random Access Memory）と、コースレイアウトデータ１５１、内部時刻データ１５２、タイムゾーン情報１５３、プログラムデータ１５４などを格納したＲＯＭ（Read Only Memory）とを構える。タイムゾーン情報とは、共通の標準時を使用する地域（タイムゾーン）の位置情報（緯度・経度）と、ＵＴＣに対する時差と、を管理するデータである。
【００７５】
処理部３００は、例えば、ＭＰＵ（Micro Processing Unit）、ＤＳＰ（Digital Signal Processor）、ＡＳＩＣ（Application Specific Integrated Circuit）等により構成される。処理部３００は、ＲＡＭを作業領域として使用し、プログラムデータ１５４を読み出して実行することにより、各種の処理を行う。この処理は、操作部１５７を介してユーザーが入力した各種のコマンドに従って行われる。また、この処理には、ＧＰＳセンサー１２１、地磁気センサー１１１、計時部１５５などが生成するデータへのデータ処理も含まれる。また、この処理には、駆動機構１４０を介して表示部１４１の指針を制御する表示処理なども含まれる。なお、処理部３００と接続された各機能部は、処理部３００からの制御信号に従って動作する。
【００７６】
例えば、処理部３００は、計時部１５５が生成した時刻データと、ＧＰＳ時刻情報及び時刻補正パラメーターから算出した時刻情報と、ＧＰＳ時刻情報及び軌道情報から算出した現在地の位置情報（緯度、経度）と、ＲＯＭに記憶されたタイムゾーン情報１５３とに基づき、内部時刻データ１５２を修正する。そして、処理部３００は、修正後の内部時刻データ１５２に基づき駆動機構１４０を駆動することにより、表示部１４１に表示される内部時刻（小秒針８１、分針２２、時針２３の各々の回転位置）を更新する。
【００７７】
表示部１４１は、ユーザーへ情報を表示するための可動部材、すなわち、クロノグラフ秒針２１、分針２２、時針２３、クロノグラフ分針７１、小秒針８１、クロノグラフ時針９１、カレンダー小窓１５の日車などで構成される。表示部１４１における表示内容（小秒針８１、分針２２、時針２３、クロノグラフ秒針２１、クロノグラフ分針７１、クロノグラフ時針９１、日車の各々の回転位置）は、処理部３００によって駆動機構１４０を介して制御される。
【００７８】
充電回路１３６は、ソーラーパネル１３５と二次電池１３０の間に介設され、二次電池１３０を安全に充電するための制御を行う。
【００７９】
ソーラーパネル１３５は、前述したとおり、太陽から受光した光のエネルギーを電気エネルギー（電力）に変換する複数のソーラーセル（光発電素子）を直列接続した円形の平板である。また、ソーラーパネル１３５は、太陽光の検出機能も有している。
【００８０】
通信部１９０は、スマートフォンなどの外部装置との間でデータ通信を成立させるための各種制御を行う。通信部１９０は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、Ａｎｔ＋等の近距離無線通信規格に対応した送受信機を含んで構成される。
【００８１】
１−４−１．処理部の基本動作（時刻表示機能）
処理部３００は、内部時刻の「分」に対応する位置へ分針２２の回転位置をセットし、内部時刻の「時」に対応する位置へ時針２３の回転位置をセットし、内部時刻の「秒」に対応する位置へ小秒針８１の回転位置をセットし、内部時刻の日付に対応する位置へカレンダー小窓１５の日車の回転位置をセットする。処理部３００は、セットした各指針の回転位置を制御信号として駆動機構１４０へ入力し、駆動機構を制御することにより、内部時刻を表示部１４１へ表示する。
【００８２】
以下、携帯型電子時計１０が表示部１４１の時針２３、分針２２、小秒針８１、カレンダー小窓１５により内部時刻を表示し、適時に測位（以下、ＧＰＳセンサー１２１による測位及び測時をまとめて「測位」という。）の結果に応じて内部時刻を更新し、更新後の内部時刻を表示部１４１へ反映させるモードを、「時刻表示モード」と称す。
【００８３】
１−４−２．処理部の基本動作（測時機能）
測時機能には、例えば、手動受信による測時機能と自動受信による測時機能とがあり、自動受信による測時機能には、定時自動受信による測時機能と、光自動受信による測時機能とがある。
【００８４】
手動受信による測時は、携帯型電子時計１０が時刻表示モードにあるときに、ユーザーが操作部１５７における所定のボタンを操作した場合に、処理部３００がＧＰＳセンサー１２１を作動して行う測時である。
【００８５】
測時に当たり、処理部３００は、ＧＰＳセンサー１２１で少なくとも１つのＧＰＳ衛星を捕捉し、そのＧＰＳ衛星から送信される衛星信号を受信して時刻情報を取得する。そして、処理部３００は、時刻情報の取得に成功した場合、当該時刻情報により内部時刻を修正すると共に、修正後の内部時刻を表示部１４１の表示内容（小秒針８１、分針２２、時針２３の回点位置）へ反映させる。
【００８６】
定時自動受信による測時は、内部時刻が予め決められた定時受信時刻に一致した場合に、処理部３００がＧＰＳセンサー１２１を作動して行う測時である。測時の内容は、手動受信による測時のそれと同じである。なお、ソーラーパネル１３５の発電状態が悪い場合は、処理部３００がＧＰＳセンサー１２１の作動頻度を低く設定してもよい。
【００８７】
光自動受信による測時は、ソーラーパネル１３５の発電電圧または発電電流が設定値以上となり、屋外においてソーラーパネル１３５に日光が照射していると判断できる場合に、処理部３００がＧＰＳセンサー１２１を作動して行う測時である。測時の内容は、手動受信による測時のそれと同じである。
【００８８】
１−４−３．処理部の基本動作（測位機能）
携帯型電子時計１０が時刻表示モードにあるときに、ユーザーが操作部１５７における所定のボタンを操作すると、処理部３００は、ＧＰＳセンサー１２１を作動して測位を行う。
【００８９】
測位に当たり、処理部３００は、ＧＰＳセンサー１２１で少なくとも３個、好ましくは４個以上のＧＰＳ衛星を捕捉し、捕捉したＧＰＳ衛星から送信される衛星信号に基づき時刻情報を取得すると共に、携帯型電子時計１０の位置情報（少なくとも緯度及び経度）を算出する。
【００９０】
位置情報の取得に成功した場合、処理部３００は、取得した位置情報に基づいてタイムゾーン情報１５３を参照することにより、携帯型電子時計１０の位置するエリアのタイムゾーンデータ（時差情報）を認識し、タイムゾーンデータを表示部１４１の表示内容（小秒針８１、分針２２、時針２３、日車の回転位置）へ反映させる。
【００９１】
例えば、日本標準時（ＪＳＴ）は、ＵＴＣ（Coordinated Universal Time）に対して９時間進めた時刻（ＵＴＣ＋９）であるため、携帯型電子時計１０が日本に位置している場合には、処理部３００は、日本標準時の時差情報（＋９時間）を設定する。このため、小秒針８１、分針２２、時針２３、日車で表示される時刻は、ＵＴＣにタイムゾーンデータを加算した時刻となる。
【００９２】
１−４−４．処理部の基本動作（クロノグラフ機能）
携帯型電子時計１０が時刻表示モードにあるときに、ユーザーが操作部１５７における所定のボタンを操作すると、処理部３００は、クロノグラフ秒針２１、クロノグラフ分針７１、クロノグラフ時針９１の回転（運針）を開始し、操作タイミングからの経過時間（所定時刻からの経過時間の一例）を表示する。また、ユーザーが同じボタンを再度操作すると、処理部３００は、クロノグラフ秒針２１、クロノグラフ分針７１、クロノグラフ時針９１の回転（運針）を停止する。さらに、ユーザーが操作部１５７における所定のボタンを操作すると、処理部３００は、クロノグラフ秒針２１、クロノグラフ分針７１、クロノグラフ時針９１の回転位置を元の位置（基準位置。ここでは１２時の位置とする。）へ戻すことにより、表示中の経過時間をゼロにリセットする。
【００９３】
１−５．コースレイアウトデータ
コースレイアウトデータ１５１は、携帯型電子時計１０のゴルフナビモードにおいて利用される。
【００９４】
コースレイアウトデータ１５１には、例えば、各地のゴルフコースのコースレイアウトデータが含まれる。或るゴルフコースのコースレイアウトデータには、当該ゴルフコースに属する各ホールにおける各コース要素（目標地点の一例）のデータが含まれる。或る１つのホールを構成する各コース要素を可視化すると、例えば図４に示すとおりである。図４において、符号１０７で示すのがＯＢエッジであり、このＯＢエッジ１０７がホールの外縁に相当する。或るホールについてのコースレイアウトデータの構成は、例えば以下のとおりである。
【００９５】
（１）グリーンエッジ１０３の中央の位置座標（緯度、経度、高度）、グリーンエッジ１０３の形状、サイズ、方位
（２）プレー当日におけるカップ１０４の位置座標
（４）フェアウェイエッジ１０２の中央の位置座標、フェアウェイエッジ１０２の形状、サイズ、方位
（５）１又は複数のハザードエッジ１０５の各々の中央の位置座標、ハザードエッジ１０５の各々の形状、サイズ、方位
（６）ＯＢエッジ１０７の中央の位置座標、ＯＢエッジ１０７の形状、サイズ、方位
（７）ドッグレッグＤＬの曲り角（ドッグレッグポイント）２０７の位置座標、ドッグレッグポイント２０７を基準とした短い方のレッグの長さ及び方位、ドッグレッグポイント２０７を基準とした長い方のレッグの長さ及び方位（なお、ドッグレッグとは、フェアウェイの形状を概略的に表した折れ線のことである。ここでは、簡単のため、ドッグレッグの曲がり角の個数を「１」とした。）
（８）ティーインググラウンド１０６の中央の位置座標、ティーインググラウンド１０６の形状、サイズ、方位
なお、以上のデータは、地球上に固定されたグローバル座標系で表現されているものとする。この場合、ユーザーの存在する地点（つまり携帯型電子時計１０の存在する地点）が地球上の何れの地点であったとしても、コースレイアウトデータ１５１を利用することが可能である。
【００９６】
また、以上のコースレイアウトデータ１５１は、携帯型電子時計１０の出荷前に記憶部１５０へ書き込まれたもの、或いは、携帯型電子時計１０のメンテナンス時に記憶部１５０へ書き込まれたものである。但し、カップ位置の変更や、ゴルフコースの新規建設などに対処するため、スマートフォンやタブレットＰＣなどの外部装置を介してコースレイアウトデータ１５１は適時に更新されてもよい。更新時における外部装置から携帯型電子時計１０へのデータの送信は、通信部１９０を介して行われる。以下、コースレイアウトデータ１５１には、ゴルフプレー当日におけるカップの位置座標（最新の位置座標）が反映されているものと仮定する。
【００９７】
１−６．ゴルフナビモードに関するユーザーの動作
本実施形態のゴルフナビモードに関するユーザーの動作は、基本的に以下のとおりである。
【００９８】
（１）ユーザーは、例えば、或るゴルフコースの或るホール内の任意の地点において、操作部１５７における所定のボタンを操作することにより、携帯型電子時計１０をゴルフナビモードに設定することができる。
【００９９】
（２）ユーザーは、携帯型電子時計１０がゴルフナビモードに設定されているときに、操作部１５７における所定のボタンを操作し、携帯型電子時計１０をカップ表示モードに設定すれば、自分の位置するホールのカップまでの距離（残距離）及び方向を携帯型電子時計１０に表示させることができる。
【０１００】
（３）ユーザーは、携帯型電子時計１０がゴルフナビモードに設定されているときに、ベゼル３２の所定部位（以下、図１においてマーク２００が描かれた部位、すなわち１２時の方向の部位とする。）を所望の方向に向け、操作部１５７における所定のボタンを操作して携帯型電子時計１０の表示モードをフェアウェイエッジ表示モードに設定することにより、当該方向に位置するフェアウェイの手前側のエッジ及び奥側のエッジまでの距離を携帯型電子時計１０に表示させることができる。
【０１０１】
（３）ユーザーは、携帯型電子時計１０がゴルフナビモードに設定されているときに、ベゼル３２の所定部位を所望の方向に向け、操作部１５７における所定のボタンを操作して携帯型電子時計１０の表示モードをグリーンエッジ表示モードに設定することにより、当該方向に位置するグリーンの手前側のエッジ及び奥側のエッジまでの距離を携帯型電子時計１０に表示させることができる。
【０１０２】
（４）ユーザーは、携帯型電子時計１０がゴルフナビモードに設定されているときに、ベゼル３２の所定部位を所望の方向に向け、操作部１５７における所定のボタンを操作して携帯型電子時計１０の表示モードをハザードエッジ表示モードに設定することにより、当該方向に位置するハザードの手前側のエッジ及び奥側のエッジまでの距離を携帯型電子時計１０に表示させることができる。
【０１０３】
（５）ユーザーは、携帯型電子時計１０がゴルフナビモードに設定されているときに、ベゼル３２の所定部位を所望の方向に向け、操作部１５７における所定のボタンを操作して携帯型電子時計１０の表示モードをＯＢエッジ表示モードに設定することにより、当該方向に位置するＯＢエッジまでの距離を携帯型電子時計１０に表示させることができる。
【０１０４】
（６）ユーザーは、携帯型電子時計１０がゴルフナビモードに設定されているときに、操作部１５７における所定のボタンを操作し、携帯型電子時計１０をドッグレッグ表示モードに設定すれば、自分の位置するホールのドッグレッグの形状及び方向を携帯型電子時計１０に表示させることができる。
【０１０５】
１−７．ゴルフナビモードにおける処理部の動作
図５は、ゴルフナビモードにおける処理部の動作を説明するためのフローチャートである。以下、各ステップを順に説明する。
【０１０６】
ステップＳ１１：処理部３００は、充電回路１３６を介して二次電池１３０の電圧が所定の閾値より低いか否かを判定し、低いと判定した場合（Ｓ１１のＹ）は、省電力のためフローを終了し、そうでない場合（Ｓ１１のＮ）はステップＳ１２へ移行する。
【０１０７】
ステップＳ１２：処理部３００は、ＧＰＳセンサー１２１を作動して測位を開始する。処理部３００は、例えば、４以上のＧＰＳ衛星を捕捉して位置情報を算出する処理を１秒の時間間隔で繰り返す。なお、本ステップの開始時に測位が既に開始されていた場合は、処理部３００は、測位を継続する。
【０１０８】
ステップＳ１５：処理部３００は、操作部１５７に対するユーザーの操作内容に基づき、携帯型電子時計１０がカップ表示モードに設定されたか否かを判定し、設定されたと判定した場合（Ｓ１５のＹ）は、ステップＳ１６へ移行し、そうでない場合（Ｓ１５のＮ）はステップＳ１７へ移行する。
【０１０９】
ステップＳ１６：処理部３００は、カップ表示処理を実行し、ステップＳ１７へ移行する。カップ表示処理の詳細は後述する。
【０１１０】
ステップＳ１７：処理部３００は、操作部１５７に対するユーザーの操作内容に基づき、携帯型電子時計１０がフェアウェイエッジ表示モードに設定されたか否かを判定し、設定されたと判定した場合（Ｓ１７のＹ）は、ステップＳ１８へ移行し、そうでない場合（Ｓ１７のＮ）はステップＳ１９へ移行する。
【０１１１】
ステップＳ１８：処理部３００は、フェアウェイエッジ表示処理を実行し、ステップＳ１９へ移行する。フェアウェイエッジ表示処理の詳細は後述する。
【０１１２】
ステップＳ１９：処理部３００は、操作部１５７に対するユーザーの操作内容に基づき、携帯型電子時計１０がグリーンエッジ表示モードに設定されたか否かを判定し、設定されたと判定した場合（Ｓ１９のＹ）は、ステップＳ２０へ移行し、そうでない場合（Ｓ１９のＮ）はステップＳ２１へ移行する。
【０１１３】
ステップＳ２０：処理部３００は、グリーンエッジ表示処理を実行し、ステップＳ２１へ移行する。グリーンエッジ表示処理の詳細は後述する。
【０１１４】
ステップＳ２１：処理部３００は、操作部１５７に対するユーザーの操作内容に基づき、携帯型電子時計１０がハザードエッジ表示モードに設定されたか否かを判定し、設定されたと判定した場合（Ｓ２１のＹ）は、ステップＳ２２へ移行し、そうでない場合（Ｓ２１のＮ）はステップＳ２３へ移行する。
【０１１５】
ステップＳ２２：処理部３００は、ハザードエッジ表示処理を実行し、ステップＳ２３へ移行する。ハザードエッジ表示処理の詳細は後述する。
【０１１６】
ステップＳ２３：処理部３００は、操作部１５７に対するユーザーの操作内容に基づき、携帯型電子時計１０がＯＢエッジ表示モードに設定されたか否かを判定し、設定されたと判定した場合（Ｓ２３のＹ）は、ステップＳ２４へ移行し、そうでない場合（Ｓ２３のＮ）はステップＳ２５へ移行する。
【０１１７】
ステップＳ２４：処理部３００は、ＯＢエッジ表示処理を実行し、ステップＳ２５へ移行する。ＯＢエッジ表示処理の詳細は後述する。
【０１１８】
ステップＳ２５：処理部３００は、操作部１５７に対するユーザーの操作内容に基づき、携帯型電子時計１０がドッグレッグ表示モードに設定されたか否かを判定し、設定されたと判定した場合（Ｓ２５のＹ）は、ステップＳ２６へ移行し、そうでない場合（Ｓ２５のＮ）はステップＳ１１へ移行する。
【０１１９】
ステップＳ２６：処理部３００は、ドッグレッグ表示処理を実行し、ステップＳ１１へ移行する。ドッグレッグエッジ表示処理の詳細は後述する。
【０１２０】
なお、以上のフローにおいて、ステップの実行順序は可能な範囲で入れ替えることが可能である。例えば、各モードの判定及び実行（例えば、ステップＳ１５とＳ１６）を組として、各組の順序を入れ替えても良いし、Ｓ１２の次に、いずれのモードであるかを判定して、設定されているモードの処理を実行してもよい。
【０１２１】
１−７−１．カップ表示処理
図６（Ａ）は、カップ表示処理に関する処理部の動作を説明するためのフローチャートであり、図６（Ｂ）は、カップ表示処理における計測対象を説明する図であり、図６（Ｃ）は、カップ表示処理における表示部の表示例である。なお、図６（Ｂ）では、ユーザーがティーインググラウンドに位置している場合を想定した。
【０１２２】
ステップＳ１６１：処理部３００は、図６（Ｃ）に示すとおりクロノグラフ秒針２１の先端を「ＣＵＰ」という文字に向けてモード表示（すなわち、携帯型電子時計１０がカップ表示モードに設定中である旨の表示）を行う。
【０１２３】
ステップＳ１６２：処理部３００は、最新の測位計算の結果（測位データ）に基づき、グローバル座標系におけるユーザーの位置座標（ユーザー位置）を計算する。
【０１２４】
ステップＳ１６３：処理部３００は、地磁気センサー１１１の出力する地磁気データに基づき、グローバル座標系における携帯型電子時計１０の姿勢を計算する。
【０１２５】
ステップＳ１６４：処理部３００は、コースレイアウトデータ１５１に含まれる複数のコースの複数のホールの中から、ユーザーの位置座標の属するホールを１つ見出し、当該ホールに属するカップの位置座標を参照する。そして、処理部３００は、ユーザーの位置座標と、カップの位置座標とに基づき、ユーザーの位置からカップの位置までの距離Ｌを計算する（図６（Ｂ）を参照。）。
【０１２６】
ステップＳ１６５：処理部３００は、ユーザーの位置座標と、カップの位置座標と、携帯型電子時計１０の姿勢とに基づき、ローカル座標におけるカップの方向Ｖを計算する（図６（Ｂ）を参照。）。なお、「ローカル座標」とは、携帯型電子時計１０に固定された座標のことである。
【０１２７】
ステップＳ１６６：処理部３００は、図６（Ｃ）に示すとおり、カップの位置までの距離Ｌに対応する回転位置に分針２２（第１の指針の一例）の回転位置（１２時の位置を基準とした右回りの回転位置）をセットする。なお、距離と回転位置との関係は、例えば、３６０[ｙｄ]が３６０[°]（すなわち６０分）で表されるような関係に設定される。
【０１２８】
ステップＳ１６７：処理部３００は、図６（Ｃ）に示すとおり、携帯型電子時計１０から見たカップの方向Ｖへ時針２３（第２の指針の一例）の先端を向け、フローを終了する。
【０１２９】
従って、携帯型電子時計１０がカップ表示モードに設定されると、時針２３はカップまでの方向を表示し、分針２２はカップまでの距離を表示し、クロノグラフ秒針２１は携帯型電子時計１０がカップ表示モードに設定中である旨を表示する。
【０１３０】
なお、以上のフローにおいて、ステップの実行順序は可能な範囲で入れ替えることが可能である。
【０１３１】
また、ここでは、カップまでの距離を表示するカップ表示モードを説明したが、カップまでの距離を表示するカップ表示モードの代わりに、グリーン中央までの距離を表示するグリーンセンター表示モードを携帯型電子時計１０へ搭載してもよいし、カップ表示モードの他にグリーンセンター表示モードを携帯型電子時計１０へ搭載してもよい。
【０１３２】
１−７−２．フェアウェイエッジ表示処理（ＦＷエッジ表示処理）
図７（Ａ）は、フェアウェイエッジ表示処理（ＦＷエッジ表示処理）を説明するためのフローチャートであり、図７（Ｂ）は、フェアウェイエッジ表示処理における計測対象を説明する図であり、図７（Ｃ）は、フェアウェイエッジ表示処理における表示部の表示例である。なお、図７（Ｂ）では、ユーザーがティーインググラウンドに位置している場合を想定した。
【０１３３】
ステップＳ１８１：処理部３００は、図７（Ｃ）に示すとおりクロノグラフ秒針２１の先端を「ＦＷＥ」という文字に向けてモード表示（すなわち、携帯型電子時計１０がフェアウェイ表示モードに設定中である旨の表示）を行う。
【０１３４】
ステップＳ１８２：処理部３００は、最新の測位計算の結果（測位データ）に基づき、グローバル座標系におけるユーザーの位置座標（ユーザー位置）を計算する。
【０１３５】
ステップＳ１８３：処理部３００は、地磁気センサー１１１の出力する地磁気データに基づき、グローバル座標系における携帯型電子時計１０の姿勢を計算し、当該姿勢に基づき、グローバル座標におけるユーザー指定方向を計算する。ユーザー指定方向は、文字板の中央からベゼル３２の所定部位（マーク２００）に向かう方向（携帯型電子時計から見て所定方向の一例）のことである。
【０１３６】
ステップＳ１８４：処理部３００は、コースレイアウトデータ１５１に含まれる複数のコースの複数のホールの中から、ユーザーの位置座標の属するホールを１つ見出し、当該ホールに属するフェアウェイエッジのデータを参照する。そして、処理部３００は、ユーザーの位置座標からユーザー指定方向に向けて延ばした線分がフェアウェイエッジと最初に交わる地点（以下、「手前側のエッジ」という。）を計算する。そして、処理部３００は、ユーザーの位置座標から手前側のエッジまでの距離Ｌ１を計算する（図７（Ｂ）を参照。）。
【０１３７】
ステップＳ１８５：処理部３００は、ユーザーの位置座標からユーザー指定方向に向けて延ばした線分がフェアウェイエッジと次に交わる地点（以下、「奥側のエッジ」という。）を計算する。そして、処理部３００は、ユーザーの位置座標から奥側のエッジまでの距離Ｌ２を計算する（図７（Ｂ）を参照。）。
【０１３８】
ステップＳ１８６：処理部３００は、図７（Ｃ）に示すとおり、手前側のエッジまでの距離Ｌ１に対応する回転位置に時針２３の回転位置（１２時の位置を基準とした右回りの回転位置）をセットする。なお、距離と回転位置との関係は、例えば、３６０［ｙｄ］が３６０［°］（すなわち１２時間）で表されるような関係に設定される。
【０１３９】
ステップＳ１８７：処理部３００は、図７（Ｃ）に示すとおり、奥側のエッジまでの距離Ｌ２に対応する回転位置に分針２２の回転位置（１２時の位置を基準とした右回りの回転位置）をセットし、フローを終了する。なお、距離と回転位置との関係は、例えば、３６０［ｙｄ］が３６０［°］（すなわち６０分）で表されるような関係に設定される。
【０１４０】
従って、携帯型電子時計１０がフェアウェイエッジ表示モードに設定されると、時針２３はユーザー指定方向におけるフェアウェイの手前側のエッジまでの距離Ｌ１を表し、分針２２はユーザー指定方向におけるフェアウェイの奥側のエッジまでの距離Ｌ２を表し、クロノグラフ秒針２１は携帯型電子時計１０がフェアウェイエッジ表示モードに設定中である旨を表示する。
【０１４１】
従って、ユーザーは、時針２３の回転位置から、自己の指定した方向（マーク２００を向けた方向）におけるフェアウェイの手前側のエッジまでの距離を知ることができ、分針２２の回転位置から、自己の指定した方向（マーク２００を向けた方向）におけるフェアウェイの奥側のエッジまでの距離を知ることができる。
【０１４２】
また、ユーザーは、時針２３と分針２２との角度関係から、自己の指定した方向（マーク２００を向けた方向）におけるフェアウェイの幅を知ることもできる。
【０１４３】
なお、フェアウェイエッジ表示モードでは、ユーザーの位置座標からエッジまでの距離を、時針２３及び分針２２を用いて表示したが、更に、ユーザーの位置座標からエッジまでの高低差（高度差）を、他の指針を用いて表示してもよい（エッジまでの距離を表示する他のモードにおいても同様）。
【０１４４】
また、以上のフローにおいて、ステップの実行順序は可能な範囲で入れ替えることが可能である。
【０１４５】
１−７−３．グリーンエッジ表示処理（Ｇエッジ表示処理）
図８（Ａ）は、グリーンエッジ表示処理（Ｇエッジ表示処理）を説明するためのフローチャートであり、図８（Ｂ）は、グリーンエッジ表示処理における計測対象を説明する図であり、図８（Ｃ）は、グリーンエッジ表示処理における表示部の表示例である。なお、図８（Ｂ）では、ユーザーがティーインググラウンドに位置している場合を想定した。
【０１４６】
以下、各ステップを順に説明する。
【０１４７】
ステップＳ２０１：処理部３００は、図８（Ｃ）に示すとおりクロノグラフ秒針２１の先端を「ＧＥ」という文字に向けてモード表示（すなわち、携帯型電子時計１０がグリーンエッジ表示モードに設定中である旨の表示）を行う。
【０１４８】
ステップＳ２０２：処理部３００は、最新の測位計算の結果（測位データ）に基づき、グローバル座標系におけるユーザーの位置座標（ユーザー位置）を計算する。
【０１４９】
ステップＳ２０３：処理部３００は、地磁気センサー１１１の出力する地磁気データに基づき、グローバル座標系における携帯型電子時計１０の姿勢を計算し、当該姿勢に基づき、グローバル座標におけるユーザー指定方向を計算する。ユーザー指定方向は、文字板の中央からベゼル３２の所定部位（マーク２００）に向かう方向のことである。
【０１５０】
ステップＳ２０４：処理部３００は、コースレイアウトデータ１５１に含まれる複数のコースの複数のホールの中から、ユーザーの位置座標の属するホールを１つ見出し、当該ホールに属するグリーンエッジのデータを参照する。そして、処理部３００は、ユーザーの位置座標からユーザー指定方向に向けて延ばした線分がグリーンエッジと最初に交わる地点（以下、「手前側のエッジ」という。）を計算する。そして、処理部３００は、ユーザーの位置座標から手前側のエッジまでの距離Ｌ１を計算する（図８（Ｂ）を参照。）。
【０１５１】
ステップＳ２０５：処理部３００は、ユーザーの位置座標からユーザー指定方向に向けて延ばした線分がグリーンエッジと次に交わる地点（以下、「奥側のエッジ」という。）を計算する。そして、処理部３００は、ユーザーの位置座標から奥側のエッジまでの距離Ｌ２を計算する（図８（Ｂ）を参照。）。
【０１５２】
ステップＳ２０６：処理部３００は、図８（Ｃ）に示すとおり、手前側のエッジまでの距離Ｌ１に対応する回転位置に時針２３の回転位置（１２時の位置を基準とした右回りの回転位置）をセットする。なお、距離と回転位置との関係は、例えば、３６０［ｙｄ］が３６０［°］（すなわち１２時間）で表されるような関係に設定される。
【０１５３】
ステップＳ２０７：処理部３００は、図８（Ｃ）に示すとおり、奥側のエッジまでの距離Ｌ２に対応する回転位置に分針２２の回転位置（１２時の位置を基準とした右回りの回転位置）をセットし、フローを終了する。なお、距離と回転位置との関係は、例えば、３６０［ｙｄ］が３６０［°］（すなわち６０分）で表されるような関係に設定される。
【０１５４】
従って、携帯型電子時計１０がグリーンエッジ表示モードに設定されると、時針２３はユーザー指定方向におけるグリーンの手前側のエッジまでの距離Ｌ１を表し、分針２２はユーザー指定方向におけるグリーンの奥側のエッジまでの距離Ｌ２を表し、クロノグラフ秒針２１は携帯型電子時計１０がグリーンエッジ表示モードに設定中である旨を表示する。
【０１５５】
従って、ユーザーは、時針２３の回転位置から、自己の指定した方向（マーク２００を向けた方向）におけるグリーンの手前側のエッジまでの距離を知ることができ、分針２２の回転位置から、自己の指定した方向（マーク２００を向けた方向）におけるグリーンの奥側のエッジまでの距離を知ることができる。
【０１５６】
また、ユーザーは、時針２３と分針２２との角度関係から、自己の指定した方向（マーク２００を向けた方向）におけるグリーンの幅を知ることもできる。
【０１５７】
なお、以上のフローにおいて、ステップの実行順序は可能な範囲で入れ替えることが可能である。
【０１５８】
１−７−４．ハザードエッジ表示処理（Ｈエッジ表示処理）
図９（Ａ）は、ハザードエッジ表示処理（Ｈエッジ表示処理）を説明するためのフローチャートであり、図９（Ｂ）は、ハザードエッジ表示処理における計測対象を説明する図であり、図９（Ｃ）は、ハザードエッジ表示処理における表示部の表示例である。なお、図９（Ｂ）では、ユーザーがフェアウェイに位置している場合を想定した。
【０１５９】
以下、各ステップを順に説明する。
【０１６０】
ステップＳ２２１：処理部３００は、図９（Ｃ）に示すとおりクロノグラフ秒針２１の先端を「ＨＥ」という文字に向けてモード表示（すなわち、携帯型電子時計１０がハザードエッジ表示モードに設定中である旨の表示）を行う。
【０１６１】
ステップＳ２２２：処理部３００は、最新の測位計算の結果（測位データ）に基づき、グローバル座標系におけるユーザーの位置座標（ユーザー位置）を計算する。
【０１６２】
ステップＳ２２３：処理部３００は、地磁気センサー１１１の出力する地磁気データに基づき、グローバル座標系における携帯型電子時計１０の姿勢を計算し、当該姿勢に基づき、グローバル座標におけるユーザー指定方向を計算する。ユーザー指定方向は、文字板の中央からベゼル３２の所定部位（マーク２００）に向かう方向のことである。
【０１６３】
ステップＳ２２４：処理部３００は、コースレイアウトデータ１５１に含まれる複数のコースの複数のホールの中から、ユーザーの位置座標の属するホールを１つ見出し、当該ホールに属するハザードエッジのデータを参照する。そして、処理部３００は、ユーザーの位置座標からユーザー指定方向に向けて延ばした線分がハザードエッジと最初に交わる地点（以下、「手前側のエッジ」という。）を計算する。そして、処理部３００は、ユーザーの位置座標から手前側のエッジまでの距離Ｌ１を計算する（図９（Ｂ）を参照。）。
【０１６４】
ステップＳ２２５：処理部３００は、ユーザーの位置座標からユーザー指定方向に向けて延ばした線分がハザードエッジと次に交わる地点（以下、「奥側のエッジ」という。）を計算する。そして、処理部３００は、ユーザーの位置座標から奥側のエッジまでの距離Ｌ２を計算する（図９（Ｂ）を参照。）。
【０１６５】
ステップＳ２２６：処理部３００は、図９（Ｃ）に示すとおり、手前側のエッジまでの距離Ｌ１に対応する回転位置に時針２３の回転位置（１２時の位置を基準とした右回りの回転位置）をセットする。なお、距離と回転位置との関係は、例えば、３６０［ｙｄ］が３６０［°］（すなわち１２時間）で表されるような関係に設定される。
【０１６６】
ステップＳ２２７：処理部３００は、図９（Ｃ）に示すとおり、奥側のエッジまでの距離Ｌ２に対応する回転位置に分針２２の回転位置（１２時の位置を基準とした右回りの回転位置）をセットし、フローを終了する。なお、距離と回転位置との関係は、例えば、３６０［ｙｄ］が３６０［°］（すなわち６０分）で表されるような関係に設定される。
【０１６７】
従って、携帯型電子時計１０がハザードエッジ表示モードに設定されると、時針２３はユーザー指定方向におけるハザードの手前側のエッジまでの距離Ｌ１を表し、分針２２はユーザー指定方向におけるハザードの奥側のエッジまでの距離Ｌ２を表し、クロノグラフ秒針２１は携帯型電子時計１０がハザードエッジ表示モードに設定中である旨を表示する。
【０１６８】
従って、ユーザーは、時針２３の回転位置から、自己の指定した方向（マーク２００を向けた方向）におけるハザードの手前側のエッジまでの距離を知ることができ、分針２２の回転位置から、自己の指定した方向（マーク２００を向けた方向）におけるハザードの奥側のエッジまでの距離を知ることができる。
【０１６９】
また、ユーザーは、時針２３と分針２２との角度関係から、自己の指定した方向（マーク２００を向けた方向）におけるハザードの幅を知ることもできる。
【０１７０】
なお、以上のフローにおいて、ステップの実行順序は可能な範囲で入れ替えることが可能である。
【０１７１】
また、ここでは、表示対象となるエッジを、指定方向に存在する２つのハザードエッジとしたが、指定方向に存在する３以上のハザードエッジとしてもよい。その場合、例えば、操作部１５７における所定のボタンのプッシュ操作に応じて、３以上のハザードエッジの間で表示対象となるエッジをサイクリックに切り替えてもよい（複数のエッジの間で表示対象をサイクリックに切り替える方法の詳細については、第２実施形態を参照。）。
【０１７２】
また、ここでは、ハザードエッジまでの距離を表示したが、ユーザー指定方向におけるハザードの幅（手前側のエッジと奥側のエッジとの間隔）が所定の閾値未満である場合や、ユーザーから予め指示があった場合などには、ハザードエッジまでの距離の代わりに、ハザードまでの距離（ハザード中央までの距離）を表示してもよい。なぜなら、例えば、池やバンカーなどの大きいハザードとは異なり、立木などの小さいハザードについては、ハザードの中央までの距離がわかれば十分なことが多いからである。同様に、ハザード以外のコース要素についても、コース要素のエッジまでの距離の代わりに、コース要素までの距離（コース要素の中央までの距離）を表示してもよい。
【０１７３】
１−７−５．ＯＢエッジ表示処理
図１０（Ａ）は、ＯＢエッジ表示処理を説明するためのフローチャートであり、図１０（Ｂ）は、ＯＢエッジ表示処理における計測対象を説明する図であり、図１０（Ｃ）は、ＯＢエッジ表示処理における表示部の表示例である。なお、図１０（Ｂ）では、ユーザーがティーインググラウンドに位置している場合を想定した。
【０１７４】
以下、各ステップを順に説明する。
【０１７５】
ステップＳ２４１：処理部３００は、図１０（Ｃ）に示すとおりクロノグラフ秒針２１の先端を「ＯＢＥ」という文字に向けてモード表示（すなわち、携帯型電子時計１０がＯＢエッジ表示モードに設定中である旨の表示）を行う。
【０１７６】
ステップＳ２４２：処理部３００は、最新の測位計算の結果（測位データ）に基づき、グローバル座標系におけるユーザーの位置座標（ユーザー位置）を計算する。
【０１７７】
ステップＳ２４３：処理部３００は、地磁気センサー１１１の出力する地磁気データに基づき、グローバル座標系における携帯型電子時計１０の姿勢を計算し、当該姿勢に基づき、グローバル座標におけるユーザー指定方向を計算する。ユーザー指定方向は、文字板の中央からベゼル３２の所定部位（マーク２００）に向かう方向のことである。
【０１７８】
ステップＳ２４４：処理部３００は、コースレイアウトデータ１５１に含まれる複数のコースの複数のホールの中から、ユーザーの位置座標の属するホールを１つ見出し、当該ホールに係るＯＢエッジのデータを参照する。そして、処理部３００は、ユーザーの位置座標からユーザー指定方向に向けて延ばした線分がＯＢエッジと交わる地点（以下、単に「ＯＢエッジ」という。）を計算する。そして、処理部３００は、ユーザーの位置座標からＯＢエッジまでの距離Ｌ１を計算する（図１０（Ｂ）を参照。）。
【０１７９】
ステップＳ２４６：処理部３００は、図１０（Ｃ）に示すとおり、ＯＢエッジまでの距離Ｌ１に対応する回転位置に時針２３の回転位置（１２時の位置を基準とした右回りの回転位置）をセットすると共に、分針２２の回転位置を基準位置（１２時の位置）へセットして、フローを終了する。なお、距離と回転位置との関係は、例えば、３６０［ｙｄ］が３６０［°］（すなわち時針の１２時間又は分針の６０分）で表されるような関係に設定される。
【０１８０】
従って、携帯型電子時計１０がＯＢエッジ表示モードに設定されると、時針２３はユーザー指定方向におけるＯＢエッジまでの距離Ｌ１を表示し、クロノグラフ秒針２１は携帯型電子時計１０がＯＢエッジ表示モードに設定中である旨を表示する。
【０１８１】
なお、以上のフローにおいて、ステップの実行順序は可能な範囲で入れ替えることが可能である。
【０１８２】
１−７−６．ドッグレッグ表示処理（ＤＬ表示処理）
図１１（Ａ）は、ドッグレッグ表示処理（ＤＬ表示処理）を説明するためのフローチャートであり、図１１（Ｂ）は、ドッグレッグ表示処理における計測対象を説明する図であり、図１１（Ｃ）は、ドッグレッグ表示処理における表示部の表示例である。
【０１８３】
以下、各ステップを順に説明する。
【０１８４】
ステップＳ２６１：処理部３００は、図１１（Ｃ）に示すとおりクロノグラフ秒針２１の先端を「ＤＬ」という文字に向けてモード表示（すなわち、携帯型電子時計１０がドッグレッグ表示モードに設定中である旨の表示）を行う。
【０１８５】
ステップＳ２６２：処理部３００は、最新の測位計算の結果（測位データ）に基づき、グローバル座標系におけるユーザーの位置座標（ユーザー位置）を計算する。
【０１８６】
ステップＳ２６３：処理部３００は、地磁気センサー１１１の出力する地磁気データに基づき、グローバル座標系における携帯型電子時計１０の姿勢を計算する。
【０１８７】
ステップＳ２６４：処理部３００は、コースレイアウトデータ１５１に含まれる複数のコースの複数のホールの中から、ユーザーの位置座標の属するホールを１つ見出し、当該ホールに属するドッグレッグの短い方のレッグの方位Ｖａ、長い方のレッグの方位Ｖｂを参照する（図１１（Ｂ）を参照。）。そして、処理部３００は、短い方のレッグの方位Ｖａと、長い方のレッグの方位Ｖｂと、携帯型電子時計１０の姿勢とに基づき、ローカル座標における短い方のレッグの方向と、ローカル座標における長い方のレッグの方向とを計算する。なお、「ローカル座標」とは、携帯型電子時計１０に固定された座標のことである。
【０１８８】
ステップＳ２６６：処理部３００は、短い方のレッグの方向に時針２３（すなわち短針）の向きをセットする。
【０１８９】
ステップＳ２６７：処理部３００は、長い方のレッグの方向に分針２２（すなわち長針）の向きをセットし、フローを終了する。
【０１９０】
従って、携帯型電子時計１０がドッグレッグ表示モードに設定されると、時針２３は短い方のレッグと同じ方向を向き、分針２２は長い方のレッグと同じ方向を向き、クロノグラフ秒針２１は携帯型電子時計１０がドッグレッグ表示モードに設定中である旨を表示する。
【０１９１】
従って、ユーザーは、時針２３と分針２２と（第１の指針又は第２の指針の一例）の間の角度関係及び長さ関係から、自己の位置するホールのおおよそのドッグレッグ形状を知ることができる。
【０１９２】
ドッグレッグのコースでは、立木などの障害物により奥のレッグをユーザーが直接視認することができないことが多いため、ドッグレッグ表示モードが有効と考えられる。
【０１９３】
なお、ドッグレッグ表示モードでは、ドッグレッグの形状及び向きを時針２３及び分針２２によって表示したが、その他に、ユーザーの位置座標からドッグレッグポイントまでの距離、奥のレッグの長さ、ユーザーの位置座標からグリーンセンターまでの距離の少なくとも１つを、他の指針を用いて表示してもよい。
【０１９４】
なお、以上のフローにおいて、ステップの実行順序は可能な範囲で入れ替えることが可能である。
【０１９５】
２．携帯型電子時計の第２実施形態
ここでは、第１実施形態と異なる点を主として説明し、第１実施形態と同様の点については、基本的に説明を省略し、第１実施形態における要素又はステップと同じものには同一の符号を付し、説明を省略する。本実施形態では、距離の表示をコース要素ごとに行うのではなく指定方向ごとに行う点において第１実施形態と異なる。
【０１９６】
２−１．ゴルフナビモードに関するユーザーの動作
本実施形態におけるゴルフナビモードに関するユーザーの動作は、基本的に以下のとおりである。
【０１９７】
（１）ユーザーは、図１２に示すとおり、或るゴルフコースの或るホール内の任意の地点５００において、ベゼル３２の所定部位（以下、図１においてマーク２００が描かれた部位、すなわち１２時の方向の部位とする。）を所望の方向Ｖに向け、操作部１５７における所定のボタンを操作して携帯型電子時計１０をゴルフナビモードに設定することにより、方向Ｖに位置するホール要素のエッジのうち最も手前に位置する１番目のエッジまでの距離を、携帯型電子時計１０に表示させることができる。
【０１９８】
（２）ユーザーは、方向Ｖにおけるｎ番目のエッジまでの距離が携帯型電子時計１０に表示されているときに、操作部１５７における所定のボタンを１回プッシュすることにより、方向Ｖにおける（ｎ＋１）番目のエッジまでの距離を携帯型電子時計１０に表示させることができる
（３）ユーザーは、方向Ｖにおけるｎｍａｘ番目のエッジまでの距離が携帯型電子時計１０に表示されているときに、同じボタンを１回プッシュすることにより、方向Ｖにおける１番目のエッジまでの距離を携帯型電子時計１０に表示させることができる。
【０１９９】
つまり、本実施形態のユーザーは、同じボタンを繰り返しプッシュするだけで、方向Ｖにかけて並んだ複数のエッジ（エッジ番号ｎ＝１，２，…，ｎｍａｘ）の間で表示対象となるエッジをサイクリックに切り替えることができる。
【０２００】
なお、ここでは、表示される順序を「手前側から奥側への順序」としたが、反対の順序「奥側から手前側への順序」としてもよいし、ユーザーが所望の順序を予め設定できるように携帯型電子時計１０を構成してもよい。
【０２０１】
また、ここでは、表示対象となるエッジをサイクリックに切り替えるための操作として、操作部を構成する何れかのボタンのプッシュを例に挙げるが、操作部を構成するリューズの回転などであってもよい。
【０２０２】
２−２．ゴルフナビモードにおける処理部の動作
図１３は、本実施形態（サイクリック表示）のゴルフナビモードにおける処理部の動作を説明するためのフローチャートである。以下、各ステップを順に説明する。
【０２０３】
ステップＳ１１：処理部３００は、充電回路１３６を介して二次電池１３０の電圧が所定の閾値より低いか否かを判定し、低いと判定した場合は、省電力のためフローを終了し、そうでない場合はステップＳ１２へ移行する。
【０２０４】
ステップＳ１２：処理部３００は、ＧＰＳセンサー１２１を作動して測位を開始する。処理部３００は、例えば、４以上のＧＰＳ衛星を捕捉して位置情報を算出する処理を１秒の時間間隔で繰り返す。なお、本ステップの開始時に測位が既に開始されていた場合は、処理部３００は、測位を継続する。
【０２０５】
ステップＳ４２：処理部３００は、最新の測位計算の結果（測位データ）に基づき、グローバル座標系におけるユーザーの位置座標（ユーザー位置）を計算する。
【０２０６】
ステップＳ４３：処理部３００は、地磁気センサー１１１の出力する地磁気データに基づき、グローバル座標系における携帯型電子時計１０の姿勢を計算し、当該姿勢に基づき、グローバル座標におけるユーザー指定方向を計算する。ユーザー指定方向は、文字板の中央からベゼル３２の所定部位（マーク２００）に向かう方向のことである。
【０２０７】
ステップＳ４４：処理部３００は、コースレイアウトデータ１５１に含まれる複数のコースの複数のホールの中から、ユーザーの位置座標の属するホールを１つ見出し、当該ホールに係るデータを参照する。そして、処理部３００は、ユーザーの位置座標からユーザー指定方向に向けて延ばした線分がコース要素のエッジと交わる各地点（以下、単に「エッジ」という。）を計算する。また、処理部３００は、計算した各エッジに対して、ユーザーの位置座標に近い側から順番に、エッジ番号ｎ＝１，２，…，ｎｍａｘを付与する。エッジ番号ｎの最大値ｎｍａｘは、コース内において指定方向に存在するエッジの総数を表す。また、処理部３００は、ｎ番目のエッジの属するコース要素の種類（グリーン、フェアウェイ、ハザード、ＯＢの種別）を、全てのエッジ番号（ｎ＝１，２，…，ｎｍａｘ）について認識する。また、処理部３００は、ユーザーの位置座標からｎ番目のエッジまでの距離Ｌｎを、全てのエッジ番号（ｎ＝１，２，…，ｎｍａｘ）について計算する。
【０２０８】
ステップＳ４５：処理部３００は、ｎ番目のエッジまでの距離Ｌｎに対応する回転位置へ時針の回転位置をセットすると共に、分針２２の回転位置を基準位置（１２時の位置）へセットする。なお、初回のステップＳ４５では、エッジ番号ｎは、初期値「１」に設定される。
【０２０９】
ステップＳ４６：処理部３００は、クロノグラフ秒針２１の先端を、ｎ番目のエッジの属するコース要素の種類（グリーン、フェアウェイ、ハザード、ＯＢの種別）を表す文字に向ける。これによって、コース要素の種類が携帯型電子時計１０に表示される。
【０２１０】
ステップＳ４７：処理部３００は、操作部１５７に対するユーザーの操作内容に基づき、所定のボタン（切り替え用のボタン）がプッシュされたか否かを判定し、プッシュされたと判定した場合は、ステップＳ４８へ移行し、そうでない場合はステップＳ１１へ移行する。
【０２１１】
ステップＳ４８：操作部１５７は、エッジ番号ｎを１だけインクリメントしてからステップＳ４５へ移行する。但し、エッジ番号ｎが最大値ｎｍａｘに達していた場合には、エッジ番号ｎを初期値「１」にリセットしてから、ステップＳ４５へ移行する。
【０２１２】
従って、本実施形態のユーザーは、所定のボタンを繰り返しプッシュするだけで、所望の方向Ｖかけて並んだ複数のエッジ（エッジ番号ｎ＝１，２，…，ｎｍａｘ）までの距離を、順次に確認することができる。
【０２１３】
なお、以上のフローにおいて、ステップの実行順序は可能な範囲で入れ替えることが可能である。
【０２１４】
３．小窓を利用した変形例
上述した実施形態においては、指針付きの小窓（第１小窓７０、第２小窓８０、第３小窓９０）をゴルフナビモードにおいて用いてもよい。この場合、時刻表示モードの機能のうち少なくとも主要部（時分表示機能）と、ゴルフナビモードの機能のうち少なくとも一部とを、携帯型電子時計へ同時に発現させることができる。以下、第１実施形態における要素又はステップと同じものには同一の符号を付し、説明を省略する。  
例えば、フェアウェイエッジ表示モードにおける表示機能を第１小窓７０へ割り当て、グリーンエッジ表示モードにおける表示機能を第２小窓８０へ割り当て、ハザードエッジ表示モードにおける表示機能を第３小窓９０へ割り当ててもよい。
【０２１５】
その場合、例えば、図１４に示すとおり、第１小窓７０には、フェアウェイエッジ表示モードの機能が割り当てられる旨の文字「ＦＷＥ」が付与され、第２小窓８０には、グリーンエッジ表示モードの機能が割り当てられる旨の文字「ＧＥ」が付与され、第３小窓９０には、ハザードエッジ表示モードの機能が割り当てられる旨の文字「ＨＥ」が付与されてもよい。
【０２１６】
また、フェアウェイの手前側のエッジと奥側のエッジとを同時に表示できるよう、図１４に示すとおり、第１小窓７０においてはクロノグラフ分針７１に加えてサブの指針７２が設けられてもよい。また、グリーンの手前側のエッジと奥側のエッジとを同時に表示できるよう、第２小窓８０においては小秒針８１に加えてサブの指針８２が設けられてもよい。また、ハザードの手前側のエッジと奥側のエッジとを同時に表示できるよう、第３小窓９０においてはクロノグラフ時針９１に加えてサブの指針９２が設けられてもよい。
【０２１７】
サブの指針７２の回転中心は、クロノグラフ分針７１の回転中心と同じであり、サブの指針７２の回転位置もクロノグラフ分針７１の回転位置と同様、駆動機構１４０を介して処理部３００によって制御される。なお、携帯型電子時計１０’が時刻表示モードにあるときは、サブの指針７２は基本的には不要であるため、サブの指針７２の回転位置は、基準位置（１２時の位置）へセットされることが望ましい。
【０２１８】
サブの指針８２の回転中心は、小秒針８１の回転中心と同じであり、サブの指針８２の回転位置も小秒針８１の回転位置と同様、駆動機構１４０を介して処理部３００によって制御される。なお、携帯型電子時計１０’が時刻表示モードにあるときは、サブの指針８２は基本的には不要であるため、サブの指針８２の回転位置は、基準位置（１２時の位置）へセットされることが望ましい。
【０２１９】
サブの指針９２の回転中心は、クロノグラフ時針９１の回転中心と同じであり、サブの指針９２の回転位置もクロノグラフ時針９１の回転位置と同様、駆動機構１４０を介して処理部３００によって制御される。なお、携帯型電子時計１０’が時刻表示モードにあるときは、サブの指針９２は基本的には不要であるため、サブの指針９２の回転位置は、基準位置（１２時の位置）へセットされることが望ましい。
【０２２０】
４．方向指定についての変形例
上述した実施形態においては、携帯型電子時計がユーザー指定方向Ｖとみなすべき方向を、携帯型電子時計の「１２時の方向」としたが（具体的にはベゼル３２のマーク２００の方向としたが）、携帯型電子時計の他の方向、例えば「１０時の方向」、或いは「２時の方向」などとしてもよい。
【０２２１】
また、上述した実施形態においては、携帯型電子時計がユーザー指定方向Ｖとみなすべき方向を、可変にしてもよい。その場合、例えば、図１５（Ａ）に示すとおりベゼル３２を回転可能に構成し、マーク２００の方向を、ユーザーが自由に変更できるようにすればよい。
【０２２２】
因みに、左手首に携帯型電子時計を装着した右打ちのユーザーがアドレス姿勢をとったときには、ターゲットの方向は１２時の方向よりも１０時の方向に近くなるため、携帯型電子時計がユーザー指定方向とみなすべき方向（具体的にはベゼル３２のマーク２００の方向）を、例えば「１０時の方向」としておけば、「１２時の方向」とした場合よりも、ユーザーが距離の確認動作をする際の無駄を省けると考えられる。
【０２２３】
反対に、右手首に携帯型電子時計を装着した左打ちのユーザーがアドレス姿勢をとったときには、ターゲット方向は１２時の方向よりも２時の方向に近くなるため、携帯型電子時計がユーザー指定方向とみなすべき方向（具体的にはベゼル３２のマーク２００の方向）を、例えば「２時の方向」としておけば、「１２時の方向」とした場合よりも、ユーザーが距離の確認動作をする際の無駄を省けると考えられる。
【０２２４】
なお、携帯型電子時計がユーザー指定方向Ｖとみなすべき方向を、可変にする場合は、ベゼル３２を回転可能に構成すると共に、ベゼル３２の回転位置を検出する機能を携帯型電子時計に搭載すればよい。その場合、例えば、図１５（Ｂ）に示すとおり、反射率の異なる高反射率領域Ｂと低反射率領域Ａとを周方向にかけて繰り返し配列した光学パターンがベゼル３２の裏面側に設けられる。また、その場合、例えば、図１５（Ｃ）に示すとおり、ベゼル３２の裏面の一部に向けて検出光を照射するＬＥＤなどの照射部３２Ｃと、ベゼル３２の裏面側で反射した当該検出光の強度に応じた信号を出力するフォトディテクターなどの検出部３２Ｄとが、ケースの表面側に設けられる。検出部３２Ｄの出力は、携帯型電子時計の処理部３００に与えられる。
【０２２５】
この場合、ベゼル３２が回転すると、検出部３２Ｄから出力される信号が変化し、当該信号の時間変化パターン（波形）には、ベゼル３２の回転量とベゼル３２の回転方向とが反映される。従って、処理部３００は、検出部３２Ｄから出力される信号に基づき、基準位置からのベゼル３２の相対的な回転量を検知することができる。
【０２２６】
なお、ベゼル３２の絶対的な回転位置を検知できるよう、当該光学パターンの代わりに、反射率の異なる複数の反射領域を周方向にかけて配列した光学パターンなどを使用してもよい。また、ベゼル３２の回転位置を検知するための構成には、例えば、物体の回転位置を読み取るロータリーエンコーダーなどの技術を適用することができる。
【０２２７】
５．その他の変形例
なお、上述した幾つかの表示モードでは、手前側のエッジまでの距離表示に時針を用いて奥側のエッジまでの距離表示に分針を用いたが、手前側のエッジまでの距離表示に分針を用いて奥側のエッジまでの距離表示に時針を用いてもよい。
【０２２８】
また、上述した実施形態では、携帯型電子時計に搭載される表示モードの数を複数としたが単一であってもよい。上述した実施形態で説明した複数の表示モードのうち任意の１又は複数の表示モードが携帯型電子時計に搭載されればよい。
【０２２９】
また、上述した幾つかの表示モードでは、クロノグラフ秒針にモード表示機能を付与したが、他の可動部品、例えば、第１小窓７０の指針、第２小窓８０の指針、第３小窓９０の指針、カレンダー小窓１５の日車のうち少なくとも１つにモード表示機能を付与してもよい。例えば、カレンダー小窓１５の日車にモード表示機能を付与する場合は、日車の文字（数字）の中に、ゴルフナビモードにおける各種の表示モードを表す文字（「ＣＵＰ」、「ＦＷＥ」、「ＧＥ」、「ＨＥ」、「ＯＢＥ」、「ＤＬ」）を加えておけばよい。
【０２３０】
また、第１実施形態又は第２実施形態では、操作部の少なくとも1部としてベゼル（図１５を参照。）を用いてもよい。例えば、ベゼルの回転によりモードの切り替えなどが可能なように携帯型電子時計を構成してもよい。
【０２３１】
また、第１実施形態又は第２実施形態では、クロノグラフ機能付きの携帯型電子時計にゴルフナビ機能を搭載した例を説明したが、クロノグラフ機能無しの携帯型電子時計（例えば、通常の秒針と時針と分針とを同軸で設けたもの）に同様のゴルフナビ機能を搭載してもよい。その場合は、クロノグラフ秒針の代わりに通常の秒針に対してモード表示機能を付与するとよい。
【０２３２】
また、第１実施形態又は第２実施形態では、携帯型電子時計の指針を用いて目標地点までの距離を主に表示したが、ユーザーの位置座標から目標地点までの距離に加えて、又はユーザーの位置座標から目標地点までの距離と共に、ユーザーの位置座標から目標地点までの高低差を表示してもよい。
【０２３３】
また、上記の何れかの実施形態では、携帯型電子時計に、ゴルフのスコア管理機能を搭載してもよい。スコア管理機能とは、ホールごとの打数をカウントする機能のことである。例えば、ショットをするごとに例えばユーザーが操作部の所定のボタンをプッシュすることで、打数がカウントされるように携帯型電子時計を構成してもよい。また、例えば、慣性センサー（例えば加速度センサー）を携帯型電子時計に搭載することで、打数が自動カウントされるように携帯型電子時計を構成してもよい。
【０２３４】
また、上述した何れかの実施形態では、ゴルフナビモードにおいて或る目標地点（例えばグリーンエッジ）までの距離を表示している期間中に、ユーザーが操作部における所定のボタンをプッシュするなど所定のアクションをした場合に、当該目標地点に関する通常のナビゲーションモードに携帯型電子時計のモードを移行させてもよい。通常のナビゲーションモードは、当該目標地点までの距離及び方向の少なくとも一方を継続して表示するモードである。なお、その場合においても、距離及び方向の少なくとも一方は、携帯型電子時計における時刻又は時間を表示する何れかの指針を用いて表示されることが望ましい。
【０２３５】
また、上記の何れかの実施形態では、ゴルフのプレー時間など、ゴルフに関する他のデータの表示機能を携帯型電子時計へ更に搭載してもよい。
【０２３６】
また、第１実施形態又は第２実施形態では、指針の１回転により３６０［ｙｄ］の距離を表示したが、指針の回転角度と距離との関係は、この関係に限定されることはない。
【０２３７】
また、第１実施形態で説明した機能の少なくとも一部と、第２実施形態で説明した機能の少なくとも一部とを搭載した１つの携帯型電子時計を構成してもよい。
【０２３８】
また、第１実施形態又は第２実施形態において、携帯型電子時計に備えられた複数の指針（距離の表示、モードの表示、コース要素の表示に用いられるものを含む）のうち少なくとも１つは、携帯型電子時計において時刻、時間、その他の情報を表示する指針であってもよい。その他の情報とは、例えば、以下の情報である。
【０２３９】
（１）衛星信号の受信の有無
（２）補足できた衛星の個数
（２）時刻情報の取得の有無
（３）位置情報の取得の有無
（４）ソーラーパネルの発電状態
（５）サマータイム設定の有無
（６）うるう秒情報の受信の有無
（７）携帯型電子時計に設定中のモードの種類
【０２４０】
６．実施形態及び変形例のまとめ
（１）上述した実施形態又は変形例の何れかに係る携帯型電子時計（１０，１０’）は、時刻又は時間を表示する少なくとも１つの指針（指針２１、２２、２３、７１、７２、８１、８２、９１、９２のうち少なくとも１つ）と、ユーザーの位置（位置座標）から目標地点（グリーンの位置、グリーンの手前側のエッジ、グリーンの奥側のエッジ、フェアウェイの位置、フェアウェイの手前側のエッジ、フェアウェイの奥側のエッジ、ハザードの位置、ハザードの手前側のエッジ、ハザードの奥側のエッジ、ＯＢのエッジ、カップの位置など）までの距離を表示するように、前記指針を制御する処理部３００と、を含む。
【０２４１】
すなわち、処理部は、時刻又は時間を表示する指針を、距離の表示に兼用する。従って、携帯型電子時計は、アナログ時計の雰囲気（つまり装飾性の高さ）を壊さずに、スポーツなどにおける目的地点までの距離の表示を行うことができる（図６（Ｃ）〜図１１（Ｃ）などを参照）。しかも、距離をアナログ表示できるので、距離の程度をユーザーが直感的に把握するのにも適している。
【０２４２】
（２）上述した実施形態又は変形例の何れかに係る携帯型電子時計において、処理部は、前記携帯型電子時計に対して所定方向（文字板の中央からベゼル３２の所定部位（マーク２００）へ向かう方向。）に存在する１又は複数の前記目標地点（エッジ番号ｎ＝１，２，…，ｎｍａｘ）までの距離を表示する。
【０２４３】
従って、携帯型電子時計に対して所定方向に存在する１又は複数の地点までの距離を、指針を用いて表示させることができる（図１２を参照）。
【０２４４】
（３）上述した実施形態又は変形例の何れかに係る携帯型電子時計において、所定方向は、電子時計のベゼル３２の回転位置によって特定される（図１５を参照）。
【０２４５】
従って、ユーザーは、携帯型電子時計に対する方向の通知を、ベゼルの回転操作によって行うことができる。例えば、左手首に携帯型電子時計を装着した右打ちのユーザーがスイングの構え姿勢（例えばゴルフのアドレス姿勢）をしたときには、ターゲットの方向は１２時の方向よりも１０時の方向に近くなるため、所定方向を「１０時側」としておけば、「１２時の方向」とした場合よりも、距離の確認動作をする際の無駄を省けると考えられる。反対に、右手首に携帯型電子時計を装着した左打ちのユーザーがスイングの構え姿勢（例えばゴルフのアドレス姿勢）をとったときには、ターゲット方向は１２時の方向よりも２時の方向に近くなるため、所定方向を「２時側」としておけば、「１２時の方向」とした場合よりも、距離の確認動作をする際の無駄を省けると考えられる。
【０２４６】
（４）上述した実施形態又は変形例の何れかに係る携帯型電子時計において、目標地点には、ゴルフコースにおけるグリーンの位置、グリーンのエッジ、フェアウェイのエッジ、障害物（ハザード）の位置、障害物のエッジ、ＯＢのエッジ、カップの位置、のうち少なくとも１つが含まれる。
【０２４７】
従って、携帯型電子時計は、ゴルフコースにおけるグリーンの位置、グリーンのエッジ、フェアウェイのエッジ、障害物の位置、障害物のエッジ、ＯＢのエッジ、カップの位置、のうち少なくとも１つまでの距離を、当該指針により表示することができる。従って、本適用例の携帯型電子時計は、ゴルフコースでの利用に好適である。
【０２４８】
（５）上述した実施形態又は変形例の何れかに係る携帯型電子時計において、処理部は、目標地点の種類を切り替えること、選択すること、又は設定すること（第１実施形態においてはカップ表示モード、フェアウェイエッジ表示モード、グリーンエッジ表示モード、ハザードエッジ表示モード、ＯＢエッジ表示モード、ドッグレッグ表示モードの間で表示モードを切り替えること、第２実施形態においては複数のエッジの間で距離の表示対象となるエッジを切り替えること、選択すること、又は設定すること）が可能である。
【０２４９】
従って、携帯型電子時計は、処理部によって設定された目標地点までの距離を、指針によって表示することができる。目的地点の種類を切り替えれば、指針の数より多い数の目標地点までの距離を、当該指針により表示することもできる。
【０２５０】
（６）上述した実施形態又は変形例の何れかに係る携帯型電子時計において、処理部は、距離の表示に用いられる指針（時針２３、分針２２）とは異なる指針（クロノグラフ秒針２１など）又はカレンダー窓（カレンダー小窓１５）を用いて、目標地点の種類を表示する。
【０２５１】
従って、携帯型電子時計は、目標地点の種類の表示に、アナログ時計としての部品を兼用することができる。従って、例えば、目的地点の種類を表示するための部品等を追加しなくても表示ができるので、よりアナログ時計の外観に近い携帯型電子時計を提供できる。
【０２５２】
（７）上述した実施形態又は変形例の何れかに係る携帯型電子時計において、距離の表示に用いられる指針のうち少なくとも１つ（時針２３、分針２２）は、現在時刻の表示に用いられる指針である。
【０２５３】
一般に、現在時刻の表示に用いられる指針は視認性が良い。従って、時刻表示用の指針（例えば、時針２３、分針２２）を距離の表示に兼用することで、距離の表示の視認性を良好にすることができる。
【０２５４】
（８）上述した実施形態又は変形例の何れかに係る携帯型電子時計において、距離の表示に用いられる指針のうち少なくとも１つ（クロノグラフ秒針２１、クロノグラフ分針７１、クロノグラフ時針９１）は、所定時刻からの経過時間の表示に用いられる指針である。
【０２５５】
従って、経過時間表示用の指針（クロノグラフ秒針２１、クロノグラフ分針７１、クロノグラフ時針９１など）を距離の表示に兼用することができる。
【０２５６】
（９）上述した実施形態又は変形例の何れかに係る携帯型電子時計において、前記指針は、第１の指針と第２の指針と（時針２３、分針２２）を含み、前記処理部は、前記第１の指針を用いて前記目標地点までの距離を表示し、かつ、前記第２の指針を用いて、前記目標地点（カップ）の方向を表示する。
【０２５７】
従って、ユーザーは、２つの指針により距離と方向との双方を確認することができる（図６を参照）。
【０２５８】
（１０）上述した実施形態又は変形例の何れかに係る携帯型電子時計において、前記指針は、第１の指針と第２の指針と（時針２３、分針２２）を含み、前記処理部は、前記第１の指針及び前記第２の指針を用いて、ゴルフコースにおけるフェアウェイの形状（ドッグレッグの形状）を表示する。
【０２５９】
従って、ユーザーは、２つの指針の関係からフェアウェイのおおよその形状（ドッグレッグのおおよその形状）を視覚的に確認することができる（図１１を参照）。
【０２６０】
７．応用例など
本発明は上記の実施形態に限定されず、本発明の要旨の範囲内で種々の変形実施が可能である。
【０２６１】
例えば、上述した携帯型電子時計の少なくとも１部の機能は、携帯型電子時計に搭載されたコンピューター（処理部３００）によるプログラムの実行（ソフトウエア）により実現されてもよいし、携帯型電子時計に搭載された回路の動作（ハードウエア）により実現されてもよい。
【０２６２】
また、携帯型電子時計による距離表示の用途としては、ゴルフの他に、登山、スキー（クロスカントリーなど）、ランニング、自転車、ウォーキング、スイミング、ヨット、トレイルランニング、パラグライダー、犬ぞり、などが挙げられる。
【０２６３】
例えば、用途が登山である場合は、山頂、山小屋、登山道の分岐地点など、登山における各種の目標地点までの距離を携帯型電子時計へ表示させてもよい。その場合は、コースレイアウトデータの代わりに（又はコースレイアウトデータに加えて）、山頂、山小屋など、登山における各種の目標地点のデータが記憶部に格納される。
【０２６４】
また、携帯型電子時計は、リスト型の他、懐中時計型などの携帯型電子時計として構成することもできる。
【０２６５】
また、携帯型電子時計は、ユーザーに対する情報の通知に指針を用いたが、指針に加えて、又は指針の代わりに、アナログ指針のイメージを表示する表示部を文字板へ設けてもよいし、文字板や日窓を液晶ディスプレイ等で構成し、各モードや時刻等を表す文字等を表示させても良い。また、ユーザーに対する情報の通知に画像、音、振動のうち少なくとも１つを併用してもよい。
【０２６６】
また、上記の実施形態では、全地球衛星測位システムとしてＧＰＳ（Global Positioning System）を利用したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０２６７】
また、上述した各実施形態及び各変形例は一例であって、これらに限定されるわけではない。例えば、各実施形態及び各変形例を適宜組み合わせることも可能である。
【０２６８】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０２６９】
１０、１０’  携帯型電子時計、２３  時針、２２  分針、２１  クロノグラフ秒針、１５  カレンダー小窓、３２  ベゼル、２００  マーク、５０  リューズ、６１〜２４  ボタン
【図２】
2017032473.tif 000003
【図３】
2017032473.tif 000004
【図５】
2017032473.tif 000005
【図６】
2017032473.tif 000006
【図７】
2017032473.tif 000007
【図８】
2017032473.tif 000008
【図９】
2017032473.tif 000009
【図１０】
2017032473.tif 000010
【図１１】
2017032473.tif 000011
【図１３】
2017032473.tif 000012
【図１５】
2017032473.tif 000013
【図１】
2017032473.tif 000014
【図４】
2017032473.tif 000015
【図１２】
2017032473.tif 000016
【図１４】
2017032473.tif 000017